(57)【要約】【課題】接着剤の接着力の弱い合成樹脂材料で形成された光学素子になんら処理を施すことなく、該光学素子が確実に固定できる固定方法及び、該光学素子が確実に固定された光学素子ユニット並びに、光ピックアップ装置を得ること。【解決手段】光学素子と、該光学素子を保持する保持部材とを有し、光学素子が接着剤により保持部材に固定されている光学素子ユニットにおいて、光学素子のフランジ部に、段差部を形成し、接着剤は、少なくとも段差部の保持部材と当接しない側の面と保持部材とにわたって塗布され、固化させた光学素子ユニットとする。【選択図】図２
2008305516.tif 000002
【特許請求の範囲】
【請求項１】
光学機能面とフランジ部が形成されたポリオレフィン系の合成樹脂からなる光学素子と、該光学素子を保持する保持部材とを有し、前記光学素子が接着剤により前記保持部材に固定されている光学素子ユニットにおいて、
前記フランジ部は、段差部が形成された外周部と前記保持部材に当接する側の面と前記保持部材と接しない側の面と、を有し、
前記段差部は、前記フランジ部の前記保持部材に当接する側の面と、該当接する側の面と対向する面のうち、当接する側の面に近く形成されており、
前記接着剤は、少なくとも前記段差部の前記保持部材と当接しない側の面と前記保持部材とにわたって塗布され、固化していることを特徴とする光学素子ユニット。
【請求項２】
前記段差部は複数箇所に分割されて、前記外周部に形成されていることを特徴とする請求項１に記載の光学素子ユニット。
【請求項３】
光学機能面とフランジ部が形成されたポリオレフィン系の合成樹脂からなる光学素子と、該光学素子を保持する保持部材とを有し、前記光学素子が接着剤により前記保持部材に固定されている光学素子ユニットにおいて、
前記フランジ部は、外周部と前記保持部材に当接する側の面と前記保持部材と接しない側の面と、を有し、
前記外周部は、外径が連続的に変化するよう形成され、
前記外径の最大となる位置が、前記フランジ部の前記保持部材に当接する側の面と前記保持部材と接しない側の面との間に有り、
前記接着剤は、少なくとも前記フランジ部の外径が最大となる位置よりも前記保持部材と接しない側の面側と前記保持部材とにわたって塗布され、固化していることを特徴とする光学素子ユニット。
【請求項４】
前記保持部材は、鏡枠であることを特徴とする請求項１〜３のいずれか１項に記載の光学素子ユニット。
【請求項５】
１つ以上の光源と、前記光源からの光を光ディスクの記録面上に集光すると共に、前記光ディスクの記録面からの反射光を透過させる請求項１〜４のいずれか１項に記載の光学素子ユニットと、
前記光ディスクの記録面からの反射光を受光する受光素子と、を有することを特徴とする光ピックアップ装置。
【請求項６】
１つ以上の光源と、前記光源からの光を光ディスクの記録面上に集光すると共に、前記光ディスクの記録面からの反射光を透過させる光学素子と、該光学素子を保持し前記光学素子の光軸方向及び光軸直交方向に移動可能となされたボビンと、前記光ディスクの記録面からの反射光を受光する受光素子と、を有する光ピックアップ装置において、
前記光学素子は、光学機能面とフランジ部がポリオレフィン系の合成樹脂で形成され、
前記フランジ部は、段差部が形成された外周部と前記ボビンに当接する側の面と前記保持部材と接しない側の面と、を有し、
前記段差部は、前記フランジ部の前記ボビンに当接する側の面と、該当接する側の面と対向する面のうち、当接する側の面に近く形成されており、
前記接着剤は、少なくとも前記段差部の前記ボビンと接しない側の面と前記ボビンとにわたって塗布され、固化していることを特徴とする光ピックアップ装置。
【請求項７】
前記段差部は、前記外周部の一部に形成されていることを特徴とする請求項６に記載の光ピックアップ装置。
【請求項８】
１つ以上の光源と、前記光源からの光を光ディスクの記録面上に集光すると共に、前記光ディスクの記録面からの反射光を透過させる光学素子と、該光学素子を保持し前記光学素子の光軸方向及び光軸直交方向に移動可能となされたボビンと、前記光ディスクの記録面からの反射光を受光する受光素子と、を有する光ピックアップ装置において、
前記光学素子は、光学機能面とフランジ部がポリオレフィン系の合成樹脂で形成され、
前記フランジ部は、外周部と前記ボビンに当接する側の面と前記ボビンと接しない側の面と、を有し、
前記外周部は、外径が連続的に変化するよう形成され、
前記外径の最大となる位置が、前記フランジ部の前記ボビンに当接する側の面と前記ボビンと接しない側の面との間に有り、
前記接着剤は、少なくとも前記フランジ部の外径の最大となる位置よりも前記ボビンと接しない側の面側と前記ボビンとにわたって塗布され、固化していることを特徴とする光ピックアップ装置。
【請求項９】
光学素子を保持する保持部材に、接着剤との接着力が前記保持部材より弱い材料で光学機能面とフランジ部が形成された光学素子を、接着剤で固定する光学素子の固定方法であって、
前記保持部材の形状と前記接着剤の固化した形状とにより、前記フランジ部の一部を囲い込むことで、前記光学素子を前記保持部材に固定することを特徴とする光学素子の固定方法。
【発明の詳細な説明】
【技術分野】
【０００１】
本発明は、光学素子ユニット及び該光学素子ユニットを用いて光ディスクに情報の再生及び書込をおこなう光ピックアップ装置並びに光学素子の固定方法に関するものである。
【背景技術】
【０００２】
従来より、吸水性が殆どないポリオレフィン系の合成樹脂で形成されたレンズや回折素子等の光学素子は、保持部材である鏡枠等に接着する際に、充分な接着強度が得られないことが知られている。
【０００３】
図８は、光学素子を鏡枠に接着する際の従来の例を示す断面図である。
【０００４】
同図において、２１はポリカーボネイト樹脂で形成された鏡枠、２３はポリオレフィン系の合成樹脂で形成された回折素子である。回折素子２３は、その外周で鏡枠２１と、紫外線硬化型の接着剤Ｂにより接着されている。このような接着においては接着剤Ｂの接着力は、鏡枠２１とは充分な接着力を有するが、回折素子２３が上記のポリオレフィン系の合成樹脂等の接着力の弱い材料である場合には、衝撃等が図示矢印方向にかかると、回折素子２３は、図示矢印方向にずれたり、最悪の場合、脱落してしまう問題がある。
【０００５】
このようなポリオレフィン系の合成樹脂で成形された光学部品の接着強度を得るために、光学面の外周に接着されるべき被接着部位を形成し、この光学面及び被接着部位の表面に光学膜を形成することにより、鏡枠と被接着部位との間の接着強度を得ようとするものが知られている（例えば、特許文献１参照）。
【特許文献１】特開平０６−１０９９０３号公報
【発明の開示】
【発明が解決しようとする課題】
【０００６】
しかしながら、上記特許文献１に記載のように、単に接着強度を得るために光学素子に光学膜を形成するのは、光学膜形成のために多大な工数増を必要とし、コストの増加を招く問題がある。
【０００７】
本発明は、上記問題に鑑み、接着剤の接着力の弱い合成樹脂材料で形成された光学素子になんら処理を施すことなく、該光学素子が確実に固定できる固定方法及び、該光学素子が確実に固定された光学素子ユニット並びに、光ピックアップ装置を得ることを目的とするものである。
【課題を解決するための手段】
【０００８】
上記の目的は、下記に記載する発明により達成される。
【０００９】
１．光学機能面とフランジ部が形成されたポリオレフィン系の合成樹脂からなる光学素子と、該光学素子を保持する保持部材とを有し、前記光学素子が接着剤により前記保持部材に固定されている光学素子ユニットにおいて、前記フランジ部は、段差部が形成された外周部と前記保持部材に当接する側の面と前記保持部材と接しない側の面と、を有し、前記段差部は、前記フランジ部の前記保持部材に当接する側の面と、該当接する側の面と対向する面のうち、当接する側の面に近く形成されており、前記接着剤は、少なくとも前記段差部の前記保持部材と当接しない側の面と前記保持部材とにわたって塗布され、固化していることを特徴とする光学素子ユニット。
【００１０】
２．前記段差部は複数箇所に分割されて、前記外周部に形成されていることを特徴とする１に記載の光学素子ユニット。
【００１１】
３．光学機能面とフランジ部が形成されたポリオレフィン系の合成樹脂からなる光学素子と、該光学素子を保持する保持部材とを有し、前記光学素子が接着剤により前記保持部材に固定されている光学素子ユニットにおいて、前記フランジ部は、外周部と前記保持部材に当接する側の面と前記保持部材と接しない側の面と、を有し、前記外周部は、外径が連続的に変化するよう形成され、前記外径の最大となる位置が、前記フランジ部の前記保持部材に当接する側の面と前記保持部材と接しない側の面との間に有り、前記接着剤は、少なくとも前記フランジ部の外径が最大となる位置よりも前記保持部材と接しない側の面側と前記保持部材とにわたって塗布され、固化していることを特徴とする光学素子ユニット。
【００１２】
４．前記保持部材は、鏡枠であることを特徴とする１〜３のいずれかに記載の光学素子ユニット。
【００１３】
５．１つ以上の光源と、前記光源からの光を光ディスクの記録面上に集光すると共に、前記光ディスクの記録面からの反射光を透過させる１〜４のいずれかに記載の光学素子ユニットと、前記光ディスクの記録面からの反射光を受光する受光素子と、を有することを特徴とする光ピックアップ装置。
【００１４】
６．１つ以上の光源と、前記光源からの光を光ディスクの記録面上に集光すると共に、前記光ディスクの記録面からの反射光を透過させる光学素子と、該光学素子を保持し前記光学素子の光軸方向及び光軸直交方向に移動可能となされたボビンと、前記光ディスクの記録面からの反射光を受光する受光素子と、を有する光ピックアップ装置において、前記光学素子は、光学機能面とフランジ部がポリオレフィン系の合成樹脂で形成され、前記フランジ部は、段差部が形成された外周部と前記ボビンに当接する側の面と前記保持部材と接しない側の面と、を有し、前記段差部は、前記フランジ部の前記ボビンに当接する側の面と、該当接する側の面と対向する面のうち、当接する側の面に近く形成されており、前記接着剤は、少なくとも前記段差部の前記ボビンと接しない側の面と前記ボビンとにわたって塗布され、固化していることを特徴とする光ピックアップ装置。
【００１５】
７．前記段差部は、前記外周部の一部に形成されていることを特徴とする６に記載の光ピックアップ装置。
【００１６】
８．１つ以上の光源と、前記光源からの光を光ディスクの記録面上に集光すると共に、前記光ディスクの記録面からの反射光を透過させる光学素子と、該光学素子を保持し前記光学素子の光軸方向及び光軸直交方向に移動可能となされたボビンと、前記光ディスクの記録面からの反射光を受光する受光素子と、を有する光ピックアップ装置において、前記光学素子は、光学機能面とフランジ部がポリオレフィン系の合成樹脂で形成され、前記フランジ部は、外周部と前記ボビンに当接する側の面と前記ボビンと接しない側の面と、を有し、前記外周部は、外径が連続的に変化するよう形成され、前記外径の最大となる位置が、前記フランジ部の前記ボビンに当接する側の面と前記ボビンと接しない側の面との間に有り、前記接着剤は、少なくとも前記フランジ部の外径の最大となる位置よりも前記ボビンと接しない側の面側と前記ボビンとにわたって塗布され、固化していることを特徴とする光ピックアップ装置。
【００１７】
９．光学素子を保持する保持部材に、接着剤との接着力が前記保持部材より弱い材料で光学機能面とフランジ部が形成された光学素子を、接着剤で固定する光学素子の固定方法であって、前記保持部材の形状と前記接着剤の固化した形状とにより、前記フランジ部の一部を囲い込むことで、前記光学素子を前記保持部材に固定することを特徴とする光学素子の固定方法。
【発明の効果】
【００１８】
本発明によれば、接着剤の接着力の弱い合成樹脂材料で形成された光学素子になんら処理を施すことなく、該光学素子が確実に固定できる固定方法及び、該光学素子が確実に固定された光学素子ユニット並びに、光ピックアップ装置を得ることが可能となる。
【発明を実施するための最良の形態】
【００１９】
以下、実施の形態により本発明を詳しく説明するが、本発明はこれに限定されるものではない。
【００２０】
図１は、本実施の形態に係る光ピックアップ装置１の概略構成を示す図である。
【００２１】
同図に示すように、光ピックアップ装置１には、光源として、２種類の半導体レーザ発振器ＬＤ１，ＬＤ２が具備されている。第１の光源としての半導体レーザ発振器ＬＤ１は、ＢＤ（Ｂｌｕ−Ｒａｙ  Ｄｉｓｃ）１０用として波長３８０〜４２０ｎｍ中の特定波長、例えば４０５ｎｍ，４０７ｎｍの波長の光束を第１光束Ｌ１として出射するようになっている。第２の光源としての半導体レーザ発振器ＬＤ２は、ＤＶＤ２０用として波長６３０〜６６０ｎｍ中の特定波長の光束を第２光束Ｌ２として出射するようになっている。
【００２２】
半導体レーザ発振器ＬＤ１から出射される青紫色光の光軸方向には、図１中下方から上方に向かって、シェイバＳＨ１、スプリッタＢＳ１、コリメータＣＬ、スプリッタＢＳ３及び、鏡枠２１に組み付けられた対物レンズ２２と回折素子２３で構成される光学素子ユニット１５が順次配設されている。対物レンズ２２と対向する位置には、第１光情報記録媒体としてのＢＤ１０と、第２光情報記録媒体としてのＤＶＤ２０とが配置されるようになっている。スプリッタＢＳ１の図１中右方には、シリンドリカルレンズＬ１１、凹レンズＬ１２及び光検出器ＰＤ１が順次配設されている。
【００２３】
なお、光学素子ユニット１５は、対物レンズ２２と位相構造を有した光学素子で構成されたものでもよいし、対物レンズ２２のみが鏡枠２１に組み付けられたものであっても良い。
【００２４】
半導体レーザ発振器ＬＤ２から出射される赤色光の光軸方向には、図１中左方から右方に向けてスプリッタＢＳ２，ＢＳ３が順次配設されている。スプリッタＢＳ２の図１中下方にはシリンドリカルレンズＬ２１、凹レンズＬ２２及び光検出器ＰＤ２が順次配設されている。
【００２５】
対物レンズ２２は、第１〜第２光情報記録媒体としてのＢＤ１０、ＤＶＤ２０に対向配置されるものであり、半導体レーザ発振器ＬＤ１，ＬＤ２から出射された光を、ＢＤ１０、ＤＶＤ２０に集光するようになっている。ＢＤ１０、ＤＶＤ２０はそれぞれ記録面１０ａ，２０ａを有しており、各記録面１０ａ，２０ａの表面が透明保護基板で覆われた構成を有している。
【００２６】
光学素子ユニット１５を保持する不図示のボビンには、２次元アクチュエータ２が具備されており、この２次元アクチュエータ２の動作により、光学素子ユニット１５は上下方向及び左右方向に移動自在となっている。
【００２７】
次に、光ピックアップ装置１の作用について説明する。
【００２８】
本実施形態における光ピックアップ装置１は、第１〜第２光情報記録媒体の種類によってそれぞれ異なる動作をするため、以下において、ＢＤ１０、ＤＶＤ２０に対する動作態様の詳細について、それぞれ説明する。
【００２９】
まず始めに、ＢＤ１０に対する光ピックアップ装置１の動作について説明する。
【００３０】
ＢＤ１０への情報の記録及び／又は再生動作時には、半導体レーザ発振器ＬＤ１が第１光束Ｌ１を出射する。その第１光束Ｌ１は、図１に示すように、シェイバＳＨ１を透過して整形され、スプリッタＢＳ１を透過して、コリメータＣＬで平行光とされ、その後スプリッタＢＳ３、光学素子ユニット１５及びＢＤ１０の透明保護基板を透過し、ＢＤ１０の記録面１０ａに集光スポットを形成する。
【００３１】
集光スポットを形成した第１光束Ｌ１は、ＢＤ１０の記録面１０ａで情報ピットにより変調され、記録面１０ａによって反射される。反射された第１光束Ｌ１は、ＢＤ１０の透明保護基板、対物レンズ１５、スプリッタＢＳ３及びコリメータＣＬを透過し、スプリッタＢＳ１で反射した後、シリンドリカルレンズＬ１１を透過して、非点収差が与えられる。その後、当該第１光束Ｌ１は、凹レンズＬ１２を透過して、光検出器ＰＤ１で受光される。
【００３２】
以後、このような動作が繰り返し行われ、ＢＤ１０に対する情報の記録動作や、ＢＤ１０に記録された情報の再生動作が行われる。
【００３３】
次に、ＤＶＤ２０に対する光ピックアップ装置１の動作について説明する。
【００３４】
ＤＶＤ２０への情報の記録及び／又は再生動作時には、半導体レーザ発振器ＬＤ２が第２光束Ｌ２を出射する。その第２光束Ｌ２は、図１に示すように、スプリッタＢＳ２を透過し、スプリッタＢＳ３によって反射される。反射された第２光束Ｌ２は、光学素子ユニット１５及びＤＶＤ２０の透明保護基板を透過し、ＤＶＤ２０の記録面２０ａに集光スポットを形成する。
【００３５】
集光スポットを形成した第２光束Ｌ２は、ＤＶＤ２０の記録面２０ａで情報ピットにより変調されて、記録面２０ａによって反射される。反射された第２光束Ｌ２は、ＤＶＤ２０の透明保護基板、光学素子ユニット１５を透過し、各スプリッタＢＳ３、ＢＳ２で反射した後、シリンドリカルレンズＬ２１を透過して、非点収差が与えられる。その後、当該第２光束Ｌ２は、凹レンズＬ２２を透過して、光検出器ＰＤ２で受光される。
【００３６】
以後、このような動作が繰り返し行われ、ＤＶＤ２０に対する情報の記録動作や、ＤＶＤ２０に記録された情報の再生動作が行われる。
【００３７】
以上が、本実施の形態に係る光ピックアップ装置１の概略構成である。
【００３８】
なお本例では、ＢＤ１０及びＤＶＤ２０の２種類の光情報記録媒体（光ディスクとも称す）に対応した光ピックアップ装置を記載したが、１種類の光情報記録媒体専用であっても、ＣＤ等を加えた３〜４種類の光情報記録媒体に対応した光ピックアップ装置であってもよい。
【００３９】
図２は、本実施の形態に係る光学素子ユニット１５の一例を示す断面図である。以下の図においては、説明の重複を避けるため、同機能部材には同符号を付与して説明する。
【００４０】
同図に示すように光学素子ユニット１５は、光学素子である回折素子２３及び対物レンズ２２が、保持部材である鏡枠２１に組み付けられている。
【００４１】
回折素子２３は、ポリオレフィン系の合成樹脂材料で成形され、少なくとも一方の面に回折構造が形成された光学機能面２３ａ、２３ｂが形成され、周縁部にはフランジ部２３ｆが形成されている。回折素子２３のフランジ部２３ｆの外周面には段差部が形成されており、図示の如く、接着剤Ｂは段差部を構成する３つの面のうち、光源側に向いた面と鏡枠２１とにわたって塗布されて固定されている。
【００４２】
対物レンズ２２は、光学機能面２２ａ、２２ｂが形成され、周縁部にはフランジ部２２ｆが形成されている。接着剤はフランジ部２２ｆの外周面と鏡枠２１とにわたって塗布されて接着固定されている。なお、対物レンズ２２は、図２ではガラスモールドにより形成された例を示している。
【００４３】
図３は、本実施の形態に係る光学素子ユニット１５を構成する回折素子２３とその組み付け状態の一例を示す図である。同図（ａ）は回折素子２３の斜視図、同図（ｂ）は回折素子２３が鏡枠２１に固定されたときの断面図、同図（ｃ）は回折素子２３が鏡枠２１に固定された部位の拡大断面図である。
【００４４】
同図（ａ）、（ｃ）に示すように、回折素子２３の周縁部にはフランジ部２３ｆが形成されている。フランジ部２３ｆは、不図示の鏡枠２１に当接する面２３ｆbと、この鏡枠２１に当接する面２３ｆbの反対側の面２３ｆaと、外周部２３ｆ1を有しており、外周部２３ｆ1には、図示の如く、鍔状の段差部が形成されている。この鍔状の段差部は、最大径を有する周面２３ｆ2と、鏡枠２１に当接する面２３ｆbの反対側の面２３ｆa1を有している。更に、段差部は鏡枠２１に当接する面２３ｆbに近い部位に形成されている。
【００４５】
同図（ｂ）、（ｃ）に示すように、接着剤Ｂは、段差部の面２３ｆa1の上面と鏡枠２１とにわたって塗布され、固化している。接着剤Ｂには、例えば、紫外線硬化型の接着剤、エポキシ系の２液混合の接着剤、シリコン系の接着剤等が用いられている。
【００４６】
このような接着剤Ｂの塗布を行うことで、接着剤Ｂの固化により、接着剤Ｂと鏡枠２１との間では強固に接着力が働き、図示のように接着剤Ｂは回折素子２３の段差部を囲い込んだ形状となり、接着力に頼らずとも接着剤Ｂの固化形状により回折素子２３を強固に固定することができる。
【００４７】
即ち、保持部材である鏡枠２１と接着剤Ｂの固化形状により、光学素子である回折素子２３に形成された段差部を囲い込むことで、回折素子２３の材料と接着剤Ｂとの接着力が弱くても、固化した接着剤Ｂの囲い込み形状によって回折素子２３を強固に鏡枠２１に固定することができる。
【００４８】
また、このような段差部を有する回折素子等の光学素子の場合、周面２３ｆ2を面２３ｆa1側で径が大きくなるようなテーパが付いた形状とすることが好ましい。このようにすることで、金型のパーティングラインを鏡枠２１に当接する面２３ｆbから遠ざけることができ、パーティングラインに横バリが発生しても鏡枠２１への組み付けに支障が無くなる。
【００４９】
図４は、本実施の形態に係る光学素子ユニット１５を構成する回折素子２３とその組み付け状態の変形例を示す図である。同図（ａ）は回折素子２３の斜視図、同図（ｂ）は光学素子ユニット１５を回折素子２３側から見た平面図、同図（ｃ）は同図（ｂ）に示すＡ−Ａ線で切断した断面図である。同図に示す光学ユニット１５は、図３に示す光学ユニットと異なる部分に付いてのみ説明する。
【００５０】
同図に示す回折素子２３は、フランジ部２３ｆの外周部２３ｆ1に、複数箇所（図示では３箇所）に段差部が形成されたものである。この複数箇所の段差部は、最大径を有する周面２３ｆ2と、鏡枠２１に当接する面２３ｆbの反対側の面２３ｆa1を有している。更に、段差部は鏡枠２１に当接する面２３ｆbに近い部位に形成されている。
【００５１】
同図（ｂ）、（ｃ）に示すように、接着剤Ｂは、３箇所の段差部の面２３ｆa1の上面と鏡枠２１とにわたって塗布され、固化している。
【００５２】
このような接着剤Ｂの塗布を行うことで、接着剤Ｂの固化により、接着剤Ｂと鏡枠２１との間では強固に接着力が働き、図示のように接着剤Ｂは回折素子２３の段差部を囲い込んだ形状となり、接着力に頼らずとも接着剤Ｂの固化形状により回折素子２３を強固に固定することができる。
【００５３】
図５は、本実施の形態に係る光学素子ユニット１５を構成する回折素子２３の段差部の形状の変形例と、その組み付け状態を示す図である。
【００５４】
同図（ａ）は、回折素子２３のフランジ部２３ｆに形成される段差部の断面形状を、鏡枠２１に当接する面２３ｆbと、この鏡枠２１に当接する面２３ｆbの反対側の面２３ｆaとの間の、面２３ｆaに近い側に形成したものである。この場合も、接着剤Ｂは図示の如く、段差部の面２３ｆa1の上面と鏡枠２１とにわたって塗布され、固化している。
【００５５】
同図（ｂ）は、回折素子２３のフランジ部２３ｆに形成される段差部の断面形状を、図示の如く、略三角形状の凸部２３ｆ3としたものである。この場合は、接着剤Ｂは図示の如く、凸部２３ｆ3の上側の面と鏡枠２１とにわたって塗布され、固化している。
【００５６】
このような回折素子２３の断面形状と接着剤Ｂの塗布領域とにより、接着剤Ｂの固化時には、接着剤Ｂと鏡枠２１との間では強固に接着力が働き、更に接着剤Ｂは図示のように回折素子２３の段差部もしくは凸部を囲い込んだ形状となり、接着力に頼らずとも接着剤Ｂの固化形状により回折素子２３を強固に固定することができる。
【００５７】
図６は、本実施の形態に係る光学素子ユニット１５を構成する回折素子２３とその組み付け状態の他の例を示す図である。同図（ａ）は回折素子２３の斜視図、同図（ｂ）は回折素子２３が鏡枠２１に固定されたときの断面図、同図（ｃ）は回折素子２３が鏡枠２１に固定された部位の拡大断面図である。
【００５８】
同図に示す回折素子２３のフランジ部２３ｆは、不図示の鏡枠２１に当接する面２３ｆbと、この鏡枠２１に当接する面２３ｆbの反対側の面２３ｆaと、外周部２３ｆtを有している。この外周部２３ｆtは、図示の如く、外径が連続的に変化するようテーパー角を付けて形成されており、外径の最大となる位置が、鏡枠２１に当接する面２３ｆbと、鏡枠２１に当接する面２３ｆbの反対側の面２３ｆaの間に形成されている。
【００５９】
接着剤Ｂは、この外径が最大となる位置よりも鏡枠２１と接しない側のテーパー面側と鏡枠２１とにわたって塗布され、固化している。
【００６０】
このような回折素子２３の断面形状と接着剤Ｂの塗布領域とにより、接着剤Ｂの固化時には、接着剤Ｂと鏡枠２１との間では強固に接着力が働き、更に接着剤Ｂは図示のように回折素子２３の最大径部を囲い込んだ形状となり、接着力に頼らずとも接着剤Ｂの固化形状により回折素子２３を強固に固定することができる。
【００６１】
図７は、本実施の形態に係る光学素子ユニット１５がポリオレフィン系の合成樹脂からなる対物レンズ２２と鏡枠２１で構成されている場合の例を示す断面図である。
【００６２】
同図に示すように、対物レンズ２２の周縁部にはフランジ部２２ｆが形成されている。フランジ部２２ｆは、鏡枠２１に当接する面２２ｆbと、この鏡枠２１に当接する面２２ｆbの反対側の面２２ｆaと、外周部を有しており、外周部には、図示の如く、鍔状の段差部２２ｆdが形成されている。この鍔状の段差部２２ｆdは、最大径を有する周面２３ｆ2で、鏡枠２１と嵌合している。
【００６３】
接着剤Ｂは、段差部の面２２ｆ2の上面と鏡枠２１とにわたって塗布され、固化している。
【００６４】
このような対物レンズ２２の断面形状と接着剤Ｂの塗布領域とにより、接着剤Ｂの固化時には、接着剤Ｂと鏡枠２１との間では強固に接着力が働き、更に接着剤Ｂは図示のように対物レンズ２２の最大径部を囲い込んだ形状となり、接着力に頼らずとも接着剤Ｂの固化形状により対物レンズ２２を強固に固定することができる。
【００６５】
また、図２に示すような光学素子ユニット１５に、ポリオレフィン系の合成樹脂からなる対物レンズ２２を適用し固定する場合には、図７に示すような対物レンズ２２の断面形状と接着剤Ｂの塗布領域とすればよい。また、対物レンズ２２のフランジ部２２ｆを、図４〜図６で説明したのと同様の断面形状のフランジ部としてもよい。
【００６６】
なお、上記の実施の形態では、鏡枠２１に組み付けられた対物レンズ２２と回折素子２３で構成される光学素子ユニット１５を、ボビンに組み付けた光ピックアップ装置で説明したが、保持部材をボビンとし、光学素子としての対物レンズや、回折構造を有する光学素子である回折素子や、位相構造を有する光学素子を直接的にボビンに組み付けるよう構成したものにも適用できる。また、コリメータレンズ等のその他の光学ユニットにも適用可能である。
【図面の簡単な説明】
【００６７】
【図１】本実施の形態に係る光ピックアップ装置の概略構成を示す図である。
【図２】本実施の形態に係る光学素子ユニットの一例を示す断面図である。
【図３】本実施の形態に係る光学素子ユニットを構成する回折素子とその組み付け状態の一例を示す図である。
【図４】本実施の形態に係る光学素子ユニットを構成する回折素子とその組み付け状態の変形例を示す図である。
【図５】本実施の形態に係る光学素子ユニットを構成する回折素子の段差部の形状の変形例と、その組み付け状態を示す図である。
【図６】本実施の形態に係る光学素子ユニットを構成する回折素子とその組み付け状態の他の例を示す図である。
【図７】本実施の形態に係る光学素子ユニットがポリオレフィン系の合成樹脂からなる対物レンズと鏡枠で構成されている場合の例を示す断面図である。
【図８】光学素子を鏡枠に接着する際の従来の例を示す断面図である。
【符号の説明】
【００６８】
１  光ピックアップ装置
２  ２次元アクチュエータ
１５  光学素子ユニット
２１  鏡枠
２２  対物レンズ
２３  回折素子
ＢＳ１、ＢＳ２、ＢＳ３  スプリッタ
ＣＬ  コリメータ
Ｌ１１、Ｌ２１  シリンドリカルレンズ
Ｌ１２、Ｌ２２  凹レンズ
ＬＤ１、ＬＤ２  半導体レーザ発振器
ＰＤ１、ＰＤ２  光検出器
ＳＨ１  シェイパ
【図１】
2008305516.tif 000003
【図２】
2008305516.tif 000004
【図３】
2008305516.tif 000005
【図４】
2008305516.tif 000006
【図５】
2008305516.tif 000007
【図６】
2008305516.tif 000008
【図７】
2008305516.tif 000009
【図８】
2008305516.tif 000010